(57)【要約】【課題】簡単な操作でピッチを測定する。【解決手段】ショックスイッチ１５２は、筐体に与えられる複数回の衝撃を検出する。処理部１１０は、ショックスイッチ１５２により検出された複数回の衝撃の時間間隔に基づいてピッチを算出する。処理部１１０は、算出したピッチに関するピッチ情報を記憶部１３０に記憶する。表示部１２１は、記憶部１３０に記憶されたピッチ情報に基づいてピッチを表示する。音声出力部１２２は、記憶部１３０に記憶されたピッチ情報に基づく時間間隔毎に音を再生する。【選択図】図２
2015066310.tif 000002
【特許請求の範囲】
【請求項１】
筐体に与えられる複数回の衝撃を検出する検出部と、
前記検出部により検出された複数回の衝撃の時間間隔に基づいて歩行または走行のピッチを算出する算出部と、
前記算出部により算出されたピッチに関するピッチ情報を記憶する記憶部と、
前記記憶部に記憶されたピッチ情報に基づいてピッチを報知する報知部と、
を備える電子機器。
【請求項２】
前記算出部は、前記複数回の衝撃の時間間隔と連続する２回の衝撃の間に行われる歩行または走行の歩数として予め設定された１または２の倍数に基づいてピッチを算出する請求項１に記載の電子機器。
【請求項３】
前記電子機器は、腕部装着型である請求項１または２のいずれか一項に記載の電子機器。
【請求項４】
前記検出部は、圧電素子を備える請求項１から３のいずれか一項に記載の電子機器。
【請求項５】
電子機器におけるピッチ測定方法において、
検出部が、筐体に与えられる複数回の衝撃を検出する検出過程と、
算出部が、前記検出部により検出された複数回の衝撃の時間間隔に基づいて歩行または走行のピッチを算出する算出過程と、
記憶部が、前記算出部により算出されたピッチに関するピッチ情報を記憶する記憶過程と、
報知部が、前記記憶部に記憶されたピッチ情報に基づいてピッチを報知する報知過程と、
を有するピッチ測定方法。
【請求項６】
コンピュータに、
筐体に与えられる複数回の衝撃を検出する検出手順、
前記検出手順において検出された複数回の衝撃の時間間隔に基づいて歩行または走行のピッチを算出する算出手順、
前記算出手順において算出されたピッチに関するピッチ情報を記憶する記憶手順、
前記記憶手順において記憶されたピッチ情報に基づいてピッチを報知する報知手順、
を実行させるためのピッチ測定プログラム。
【発明の詳細な説明】
【技術分野】
【０００１】
本発明は、電子機器、ピッチ測定方法、及びピッチ測定プログラムに関する。
【背景技術】
【０００２】
以下、歩行や走行における動きの速さをピッチと表現することがある。ピッチの単位は、単位時間当たりの歩数で表される。従来、歩行や走行において基準となるピッチ（「ベースピッチ」とも称する）を、音や表示により示すことで、移動速度の維持や計画的な運動を補助する電子機器がある。例えば、特許文献１は、体の動きに基づいて自動でピッチを選択し、当該ピッチを音で報知させることができる報音器付電子時計を提供している。また、歩行や走行時のデータを含む様々なデータを、複数の電子機器間で送受信するシステムに関して、特許文献２及び特許文献３が開示されている。
【先行技術文献】
【特許文献】
【０００３】
【特許文献１】特開平６−２４９９７７号公報
【特許文献２】特開２０１２−１８７４１３号公報
【特許文献３】特開２０１２−１１５７０９号公報
【発明の概要】
【発明が解決しようとする課題】
【０００４】
しかしながら、従来の技術では、ユーザは、機械式スイッチを操作してピッチを測定する必要があった。このような電子機器は、歩行や走行時に邪魔にならないよう、ある程度小さいことが望ましい。そのため、搭載されるスイッチも小さいことが多く、小さなスイッチを操作してピッチを測定することは、難しい作業であった。従って、簡単な操作でピッチを測定することは、解決すべき重要な課題であった。
【０００５】
本発明は上記の点に鑑みてなされたものであり、簡単な操作でピッチを測定する電子機器、ピッチ測定方法、及びピッチ測定プログラムを提供する。
【課題を解決するための手段】
【０００６】
本発明は上記の課題を解決するためになされたものであり、本発明の一態様は、筐体に与えられる複数回の衝撃を検出する検出部と、前記検出部により検出された複数回の衝撃の時間間隔に基づいて歩行または走行のピッチを算出する算出部と、前記算出部により算出されたピッチに関するピッチ情報を記憶する記憶部と、前記記憶部に記憶されたピッチ情報に基づいてピッチを報知する報知部と、を備える電子機器である。
【０００７】
また、本発明の一態様は、上記電子機器において、前記算出部は、前記複数回の衝撃の時間間隔と連続する２回の衝撃の間に行われる歩行または走行の歩数として予め設定された１または２の倍数とに基づいてピッチを算出する。
【０００８】
また、本発明の一態様は、上記電子機器において、前記電子機器は、腕部装着型である。
【０００９】
また、本発明の一態様は、上記電子機器において、前記検出部は、圧電素子を備える。
【００１０】
また、本発明の一態様は、電子機器におけるピッチ測定方法であって、検出部が、筐体に与えられる複数回の衝撃を検出する検出過程と、算出部が、前記検出部により検出された複数回の衝撃の時間間隔に基づいて歩行または走行のピッチを算出する算出過程と、記憶部が、前記算出部により算出されたピッチに関するピッチ情報を記憶する記憶過程と、報知部が、前記記憶部に記憶されたピッチ情報に基づいてピッチを報知する報知過程と、を有する。
【００１１】
また、本発明の一態様は、コンピュータに、筐体に与えられる複数回の衝撃を検出する検出手順、前記検出手順において検出された複数回の衝撃の時間間隔に基づいて歩行または走行のピッチを算出する算出手順、前記算出手順において算出されたピッチに関するピッチ情報を記憶する記憶手順、前記記憶手順において記憶されたピッチ情報に基づいてピッチを報知する報知手順、を実行させるためのピッチ測定プログラムである。
【発明の効果】
【００１２】
本発明によれば、簡単な操作でピッチを測定することができる。
【図面の簡単な説明】
【００１３】
【図１】本発明の実施形態に係る腕時計の使用環境を説明する外観図である。
【図２】本実施形態に係る腕時計の構成の一例を示したブロック図である。
【図３】本実施形態に係る腕時計の機能と操作方法の一例を示した概略図である。
【図４】本実施形態に係るピッチの測定と報知の具体的な処理手順の一例を示したフローチャートである。
【図５】本実施形態に係る腕時計により検出された衝撃の時間間隔の一例である。
【発明を実施するための形態】
【００１４】
以下、図面を参照しながら本発明の実施形態について詳述する。本実施形態では電子機器の一例として、腕部装着型の電子機器である腕時計の例を用いて説明する。図１は、本実施形態に係る腕時計の使用環境を説明する外観図である。図１（ａ）は、ユーザが、本実施形態に係る腕時計を着用して走行している様子を示している。図１（ａ）において、腕時計１００は、ユーザ２００の左手首付近に装着されている。ユーザ２００は、任意の速度で走行している。
【００１５】
腕時計１００は、機械式スイッチを備えている。ユーザ２００は、当該機械式スイッチのボタンを押下することで、ストップウォッチ機能や腕時計の設定、モードの切り替えなど、種々の機能を操作することができる。腕時計１００は、走行の情報収集と表示に特化したクロノグラフモードを備えている。ユーザ２００は、クロノグラフモードでも、機械式スイッチを操作することで、走行のスプリットタイム計測やラップタイム計測など、種々の機能を利用することができる。
【００１６】
図１（ｂ）は、ユーザ２００が、本実施形態に係る腕時計１００を使用して、走行中にピッチの測定を行っている様子を示している。ピッチの測定を行うときは、腕時計１００は、クロノグラフモードに設定されている。腕時計１００は、ショックスイッチを搭載している。ユーザ２００は、自分の走行のピッチに合わせて、腕時計１００に複数回の衝撃を与える。具体的には、例えば、ユーザ２００は、左足が前に出るのに合わせて、２歩進む毎に１回腕時計１００を叩く。腕時計１００のショックスイッチは、ユーザによって与えられた衝撃を検出する。腕時計１００は、ショックスイッチが検出した衝撃の時間間隔に基づいて、ピッチを算出する。なお、以下ではユーザ２００が２歩進む毎に１回腕時計に衝撃を与えることによりピッチの測定を行う場合について説明するが、衝撃の入力間隔は１歩毎であってもよいし、３歩以上の複数歩毎であってもよい。
【００１７】
なお、本実施形態に記載の衝撃とは、ショックスイッチを動作させるのに足る、腕時計１００外部からの力を指す。例えば、腕時計１００を指や手で叩く（打つ、弾く）ことの他に、腕時計１００の筐体（ケース）を押したりすることでも衝撃になりうる。
【００１８】
腕時計１００は、算出されたピッチに基づいた音（「ピッチ音」とも称する）を再生する。ピッチ音は、例えば、ピッチの逆数として算出される、１歩１歩の時間間隔毎に出力される音である。なお、ピッチ音の時間間隔は、２歩毎や４歩毎など複数歩毎でもよい。また、腕時計１００は、表示部に走行関連情報を表示する。走行関連情報は、例えば、スプリットタイムやラップタイム、ベースピッチなどである。従って、ユーザ２００は、腕時計１００を叩くという簡単な操作でピッチを測定し、測定したピッチをベースピッチとして設定することができる。
【００１９】
図２は、本実施形態に係る腕時計１００の構成の一例を示したブロック図である。腕時計１００は、処理部１１０と、表示部１２１と、音声出力部１２２と、記憶部１３０と、電源１４０と、機械式スイッチ１５１と、ショックスイッチ１５２と、分周部１６０と、水晶発振部１７０とを備える。
【００２０】
処理部１１０は、腕時計１００が備える各部の制御を行う中央処理装置である。例えば、処理部１１０は、機械式スイッチ１５１から入力された、モードの切り替えを指示するモード切替信号に基づいて、腕時計１００をクロノグラフモードで動作させる。また、処理部１１０は、走行関連情報を記憶部１３０に記憶する。また、処理部１１０は、走行関連情報を表示部１２１に表示させる。また、処理部１１０は、走行関連情報に基づいて、ピッチ音を音声出力部１２２から再生させる。
【００２１】
表示部１２１は、例えば、液晶ディスプレイであり、時刻や走行関連情報などを表示する。音声出力部１２２は、圧電素子を備える。音声出力部１２２において、圧電素子は、音声データに基づいた電圧を印加される。圧電素子は、電圧を印加されることで振動し、電子音（ブザー）を出力する。
【００２２】
記憶部１３０は、ＲＯＭ（Ｒｅａｄ  Ｏｎｌｙ  Ｍｅｍｏｒｙ、読み出し専用メモリ）やＲＡＭ（Ｒａｎｄｏｍ  Ａｃｃｅｓｓ  Ｍｅｍｏｒｙ、ランダムアクセスメモリ）から構成される。記憶部１３０は、走行関連情報や時刻、プログラム、測定結果など腕時計１００の動作に必要な情報を記憶する。電源１４０は、腕時計１００が備える各部に電力を供給する。
【００２３】
機械式スイッチ１５１は、ボタンを備えている。機械式スイッチ１５１は、ボタンが押下されたことを検出し、処理部１１０に信号を出力する。機械式スイッチ１５１は、複数備えられていてもよく、複数の機械式スイッチ１５１各々に、腕時計１００の複数の機能各々を操作する機能が与えられていてもよい。なお、腕時計１００の複数の機能とは、例えば、スプリットタイムの計測やラップタイムの計測、表示の切り替え、動作モードの切り替え、腕時計１００の設定などの機能である。
【００２４】
ショックスイッチ１５２は、圧電素子を備え、衝撃を検出する。圧電素子は、例えば、腕時計１００の底板部に接触して配置される。底板部は、腕時計１００の筐体底部に位置する。底板部の上部には、処理部１１０や表示部１２１、電源１４０などが積層配置されている。これらの構成要素は単一の筐体で覆われており、当該筐体と底板部は、接着されている。そのため、例えば、腕時計１００に対して外部から衝撃が加わると、筐体を介して底板部に衝撃が伝達される。圧電素子は、底板部に伝達された衝撃によって歪む。圧電素子は、歪みに応じてその両極に電位差を生じさせ、電子回路を動作させる。
【００２５】
このように、圧電素子は、与えられた衝撃に基づいて、処理部１１０へ電気信号を出力することで、衝撃を検出することができる。なお、ショックスイッチ１５２の圧電素子は、アラームやスイッチ操作、あるいはピッチなどを電子音により報知する音声出力部１２２を構成してもよい。水晶発振部１７０は、所定周波数の信号を出力する。分周部１６０は、水晶発振部１７０の出力信号を所定分周比で分周して処理部１１０用の基準クロック信号や計時用の時計信号を出力する。
【００２６】
図３は、本実施形態に係る腕時計１００の機能と操作方法の一例を示した概略図である。腕時計１００は、ストップウォッチ機能を備え、走行に関する情報を測定することができる。ストップウォッチ機能は、走行の測定機能と設定機能を備えている。本実施形態において、ユーザ２００は、機械式スイッチ１５１のボタンを押下することによって、ストップウォッチの設定や、スプリットタイム測定、ラップタイム測定を行う。また、ユーザ２００は、腕時計１００に衝撃を与えることによって、ショックスイッチ１５２を動作させ、ピッチの測定を行う。なお、ショックスイッチ１５２をピッチの測定以外の操作に用いるようにしてもよい。例えば、ショックスイッチ１５２をストップウォッチのスタート操作やストップ操作に用いるようにしてもよい。
【００２７】
図４は、本実施形態に係るピッチの測定と報知の具体的な処理手順の一例を示したフローチャートである。本実施形態では、処理部１１０が、腕時計１００の動作モードをクロノグラフモードに切り替えることで、図４に示す処理が開始される。クロノグラフモードにおいて、処理部１１０は、機械式スイッチ１５１及びショックスイッチ１５２からの入力信号を待ち受ける。
（ステップＳ４０１）処理部１１０は、ショックスイッチ１５２から衝撃に基づく信号が入力されたかどうかを判定する。衝撃に基づく信号が入力された場合（ＹＥＳ）、ステップＳ４０２に遷移する。衝撃に基づく信号が入力されていない場合（ＮＯ）、ステップＳ４０１に戻る。
【００２８】
（ステップＳ４０２）処理部１１０は、ピッチ測定を開始する。具体的には、処理部１１０は、ショックスイッチ１５２が衝撃を検出した時刻に関するタイミング情報を記憶するための領域を、記憶部１３０に確保する。処理部１１０は、ステップＳ４０１において、ショックスイッチ１５２が衝撃を検出した時刻を、タイミング情報として記憶部１３０に記憶する。その後、ステップＳ４０３に遷移する。
（ステップＳ４０３）処理部１１０は、ショックスイッチ１５２から衝撃に基づく信号が入力されたかどうかを判定する。衝撃に基づく信号が入力された場合（ＹＥＳ）、ステップＳ４０５に遷移する。衝撃に基づく信号が入力されていない場合（ＮＯ）、ステップＳ４０４に遷移する。
【００２９】
（ステップＳ４０４）処理部１１０は、記憶部１３０に記憶されたタイミング情報が示す時刻のうち最も新しい時刻から、所定時間（「第１の所定時間」とも称する）が経過したかどうかを判定する。第１の所定時間が経過している場合（ＹＥＳ）には計測を終了する。第１の所定時間が経過していない場合（ＮＯ）、ステップＳ４０３に戻る。
（ステップＳ４０５）処理部１１０は、ステップＳ４０３において、ショックスイッチ１５２が衝撃を検出した時刻をタイミング情報として記憶部１３０に記憶する。その後、ステップＳ４０６に遷移する。
【００３０】
（ステップＳ４０６）処理部１１０は、記憶部１３０に記憶されたタイミング情報が示す時刻のうち最も古い時刻から、所定時間（「第２の所定時間」とも称する）が経過したかどうかを判定する。第２の所定時間が経過している場合（ＹＥＳ）、ステップＳ４０７に遷移する。第２の所定時間が経過していない場合（ＮＯ）、ステップＳ４０３に戻る。
【００３１】
（ステップＳ４０７）処理部１１０は、記憶部１３０に記憶されたタイミング情報に基づいて、ピッチを、次の式（１）によって算出する。
（ピッチ）  ＝  ｓ／（タイミング情報が示す時刻の時間間隔の平均値）  ・・・（１）
なお、式（１）において、「ｓ」は、ピッチの測定時において、連続する２回の衝撃の間に行われる歩行または走行の歩数を示す変数である。言い換えると、変数ｓは、何歩毎に衝撃が与えられるかを示す。例えば、「２」歩毎に衝撃が与えられる場合、変数ｓは「２」であり、「１」歩毎に衝撃が与えられる場合、変数ｓは「１」である。変数ｓが示す歩数の情報は、予め入力されて記憶部１３０に記憶されている。本例では、「２」歩毎に衝撃が与えられるため、処理部１１０は、変数ｓを「２」とし、式（１）に基づいてピッチを算出する。その後、ステップＳ４０８に遷移する。
【００３２】
（ステップＳ４０８）処理部１１０は、算出したピッチに関するピッチ情報を記憶部１３０に記憶する。その後、ステップＳ４０９に遷移する。
（ステップＳ４０９）処理部１１０は、記憶部１３０に記憶されたピッチ情報に基づいて、歩行や走行の１歩毎の時間間隔を算出する。処理部１１０は、算出した当該１歩毎の時間間隔で音を出力するピッチ音の音データを生成する。処理部１１０は、生成した音データを音声出力部１２２に出力する。音声出力部１２２は、処理部１１０から入力された音データに基づいて、ピッチ音を再生する。なお、ピッチ音の再生時間は、ユーザ２００が任意に設定してよい。ここでは一例として、音声出力部１２２は、２０秒間ピッチ音を再生する。その後、ステップＳ４０１に戻る。
【００３３】
上述のステップＳ４０４における第１の所定時間は、任意に設定してよいが、長くても数秒間程度である。例えば、ステップＳ４０１において、ショックスイッチ１５２が最初の衝撃を検出してから数秒間、衝撃が検出されなければ、ユーザ２００が意図せずに最初の衝撃を与えてしまったと判断でき、誤動作を防止することができる。
【００３４】
図５は、本実施形態に係る腕時計１００により検出された衝撃の時間間隔の一例である。この図における衝撃の時間間隔は、記憶部１３０に記憶されたタイミング情報に基づいて算出される。この図において、ユーザ２００は、１歩当り０．４秒程度のペースで走行し、腕時計１００に対して、２歩毎に約０．８秒間隔で計８回の衝撃を与えている。しかしながら、図５の例では、ショックスイッチ１５２は、ユーザ２００の意図に反して、７回目の衝撃を検出できなかった。そのため、衝撃の時間間隔Ｔ６は１．６０秒であり、その他の時間間隔Ｔ１〜Ｔ５の２倍程度となっている。従って、時間間隔Ｔ１〜Ｔ６の６個を用い、式（１）に基づいてピッチを算出すると、誤差が生じる。
【００３５】
このような誤差の発生を抑えるために、処理部１１０は、衝撃の時間間隔各々の長さを判定し、当該時間間隔が長すぎるときは、その時点でピッチの測定を終了する方法が考えられる。これは、例えば、第１の所定時間を３歩分程度の時間に設定することで実施できる。図５の例で説明すると、第１の所定時間は、３歩分の１．２秒である。この場合、図４に示すように、処理部１１０は、２歩分の時間間隔である０．８秒程度の時間間隔で衝撃が検出される限り、第２の所定時間に達するまで、衝撃のタイミング情報を記憶部１３０に記憶する。その一方、衝撃が正しく検出されず、衝撃の時間間隔が１．２秒を超えてしまったときは、処理部１１０は、その時点でピッチの測定を終了する。従って、腕時計１００は、高い精度でピッチを測定できる。
【００３６】
また、処理部１１０は、タイミング情報から得られる衝撃の時間間隔のうち、その一部をピッチの算出に利用してもよい。例えば、処理部１１０は、衝撃の時間間隔各々のうち最大値、最小値を除いた値からピッチを算出してもよい。また、処理部１１０は、ピッチを算出する式（１）の変形例として、当該「平均値」の代わりに「中央値」を、ピッチの算出に使用してもよい。このように、腕時計１００は、ピッチの測定に係る誤差の修正を、特定の方法に限定せずに行ってよい。
【００３７】
上述のステップＳ４０６における第２の所定時間は、タイミング情報を蓄積するために設定されている。そのため、第２の所定時間はピッチの測定を行う上で十分長い時間であればよい。例えば、６０歩／分でゆっくりと移動しているユーザであっても、２０秒間測定を行えば２０歩分のタイミング情報が得られる。従って、本実施形態においては、１０個の衝撃の時間間隔の平均を算出することになるので、現実的な使用において、違和感のない測定精度でピッチを検出することができる。
【００３８】
また、腕時計１００は、ステップＳ４０６におけるタイミング情報の蓄積を終了する判断基準として、時間経過の他に、歩数を利用してもよい。この場合、ステップＳ４０６では、処理部１１０は、例えば、記憶部１３０に記憶されたタイミング情報に基づいて、衝撃が与えられた回数をカウントし、カウントされた回数が、所定の回数（所定の歩数）に達したかどうかを判定する。所定の回数に達した場合は（ＹＥＳ）、ステップＳ４０７に遷移する。所定の回数に達していない場合は（ＮＯ）、ステップＳ４０３に戻る。こうすることで、時間ではなく、歩数に基づいて、タイミング情報の蓄積を終了することができる。
【００３９】
なお、衝撃の時間間隔と歩数の関係は、ユーザ２００が任意で設定してもよい。例えば、ユーザ２００が頻繁に衝撃を与えることを好まない場合、ユーザ２００は、例えば、４歩に１回や６歩に１回など、より大きな歩数毎に衝撃を与えるように、腕時計１００を設定してもよい。この場合は、腕時計１００は、第１及び第２の所定時間を、２歩に１回衝撃を与える時の２または３倍にするなど、適宜変更してもよい。また、腕時計１００は、式（１）の歩数についての変数ｓとして「４」または「６」の情報を記憶部１３０に記憶する。処理部１１０は、記憶部１３０に記憶された変数ｓとしての「４」または「６」と、タイミング情報とに基づいて、式（１）によりピッチを算出する。従って、ユーザ２００は、腕時計１００に衝撃を与える操作を減らすことができる。
【００４０】
また、腕時計１００は、ユーザ２００から１歩毎に与えられる衝撃に基づいて、ピッチを算出してもよい。この場合は、腕時計１００は、第１及び第２の所定時間を、２歩に１回衝撃を与える時の半分にするなど、適宜変更してもよい。また、腕時計１００は、式（１）の歩数についての変数ｓとして「１」の情報を記憶部１３０に記憶する。処理部１１０は、記憶部１３０に記憶された変数ｓとしての「１」とタイミング情報とに基づいて、式（１）によりピッチを算出する。これにより、ユーザ２００は、歩行や走行時の腕の振りに合わせた直観的なタイミングで衝撃を与え、ピッチを測定することができる。
【００４１】
以上により、本実施形態によると、ショックスイッチ１５２は、筐体に与えられる複数回の衝撃を検出する。処理部１１０は、ショックスイッチ１５２により検出された複数回の衝撃の時間間隔に基づいてピッチを算出する。処理部１１０は、算出したピッチに関するピッチ情報を記憶部１３０に記憶する。表示部１２１は、記憶部１３０に記憶されたピッチ情報に基づいてピッチを表示する。音声出力部１２２は、記憶部１３０に記憶されたピッチ情報に基づいてピッチ音を再生する。このように、表示部１２１及び音声出力部１２２は、記憶部１３０に記憶されたピッチ情報に基づいてピッチを報知する。従って、ユーザ２００は、簡単な操作でピッチを測定することができる。
【００４２】
また、ユーザ２００は、ベースピッチの設定を、任意のタイミングで直観的に行うことができる。例えば、ユーザ２００は、歩行や走行をしていない状態であっても、腕時計１００を歩行や走行に合わせて叩くという直観的な操作で、ベースピッチを設定することができる。別例として、上り坂や下り坂などの走行環境の変化に合わせてベースピッチを変えたい場合でも、ユーザ２００は、実際に走行環境が変化する前に腕時計１００を任意の間隔で叩くことで、ベースピッチを設定し直すことができる。
【００４３】
また、処理部１１０は、複数回の衝撃の時間間隔と連続する２回の衝撃の間に行われる歩行または走行の歩数として予め設定された１歩または２歩に基づいてピッチを算出する。これにより、ユーザ２００は、ピッチの測定時には、１歩または２歩毎に腕時計１００に衝撃を与えればよい。そのため、ユーザ２００は、歩行や走行時の腕の振りに合わせ、腕時計１００を叩くことができる。従って、腕時計１００は、ユーザ２００の歩行や走行を大きく妨げることなく、ピッチを測定することができる。
【００４４】
また、本実施形態によると、電子機器は、腕部装着型の腕時計１００である。従って、歩行や走行中であっても、ユーザ２００は、容易に衝撃を与えることができる。また、ショックスイッチ１５２は、圧電素子を備える。従って、腕時計１００は、ピッチの測定に加速度センサを必要としない。そのため、腕時計１００は、小型軽量化が容易となり、消費電力も抑えることができる。
【００４５】
なお、上述した実施形態における腕時計１００が備える各部の機能全体あるいはその一部は、これらの機能を実現するためのプログラムをコンピュータ読み取り可能な記録媒体に記録して、この記録媒体に記録されたプログラムをコンピュータシステムに読み込ませ、実行することによって実現してもよい。なお、ここでいう「コンピュータシステム」とは、ＯＳや周辺機器などのハードウェアを含むものとする。
【００４６】
また、「コンピュータ読み取り可能な記録媒体」とは、フレキシブルディスク、光磁気ディスク、ＲＯＭ、ＣＤ−ＲＯＭなどの可搬媒体、コンピュータシステムに内蔵されるハードディスクなどの記憶部のことをいう。さらに「コンピュータ読み取り可能な記録媒体」とは、インターネットなどのネットワークや電話回線などの通信回線を介してプログラムを送信する場合の通信線のように、短時間の間、動的にプログラムを保持するもの、その場合のサーバやクライアントとなるコンピュータシステム内部の揮発性メモリのように、一定時間プログラムを保持しているものも含んでもよい。また上記プログラムは、前述した機能の一部を実現するためのものであってもよく、さらに前述した機能をコンピュータシステムにすでに記録されているプログラムとの組み合わせで実現できるものであってもよい。
【００４７】
以上、本発明の実施形態について説明したが、本発明は、上記実施形態に限定されるものではなく、本発明の趣旨を逸脱しない範囲において種々の変更を加えることが可能である。
【符号の説明】
【００４８】
１００・・・腕時計、１１０・・・処理部、１２１・・・表示部、１２２・・・音声出力部、１３０・・・記憶部、１４０・・・電源、１５１・・・機械式スイッチ、１５２・・・ショックスイッチ、１６０・・・分周部、１７０・・・水晶発振部、ユーザ・・・２００
【図１】
2015066310.tif 000003
【図２】
2015066310.tif 000004
【図３】
2015066310.tif 000005
【図４】
2015066310.tif 000006
【図５】
2015066310.tif 000007